(57)【要約】【課題】下部受皿の賞球の収容量を増加させることができる遊技機を提供する。【解決手段】遊技媒体を貯留可能な遊技球収容用凹部を有する受皿と、略垂直に設けられ、受皿が取り付けられる平板状のベース部材と、ベース部材に設けられ、ベース部材の受皿に隣接する位置に設けられ、灰を収容可能な灰収容凹部を有する灰皿と、有する遊技機において、灰皿は、灰収容凹部の入り口となる開口部が形成されており、ベース部材に略垂直な軸を中心として回動可能に構成されており、略垂直な軸を中心として回動されることによって開口部が受皿に隣接する位置まで変位した状態のときに、隣接する位置に変位した開口部が遊技媒体収容用凹部と連通する。【選択図】図１
2007319333.tif 000002
【特許請求の範囲】
【請求項１】
遊技媒体を貯留可能な遊技媒体収容凹部を有する受皿と、
略垂直に設けられ、前記受皿が取り付けられる平板状のベース部材と、
前記ベース部材の前記受皿に隣接する位置に設けられ、灰を収容可能な灰収容凹部を有する灰皿と、有する遊技機において、
前記灰皿は、
前記灰収容凹部の入り口となる開口部が形成されており、
前記ベース部材に略垂直な軸を中心として回動可能に固定されており、
前記灰皿が前記略垂直な軸を中心として回動されることによって前記受皿に隣接する位置に変位した開口部が前記遊技媒体収容凹部と連通することを特徴とする遊技機。
【請求項２】
前記受皿は、前記灰皿と隣接する部分以外の部分に、前記遊技媒体収容凹部の外周を形成する受皿壁部を有し、
前記灰皿は、前記灰収容凹部の外周を形成する灰皿壁部が形成されており、
前記開口部が上面側に位置する状態のときに、前記灰皿壁部の少なくとも一部が前記受皿に隣接して、前記灰皿壁部及び前記受皿壁部が前記遊技媒体収容凹部を囲繞することを特徴とする請求項１に記載の遊技機。
【請求項３】
前記灰皿は、
前記灰収容凹部の底面に開閉部材を有し、
前記開口部の位置が上面側に位置する状態、及び、前記開口部の位置が前記受皿に隣接する状態の何れの状態であっても、前記開閉部材を開状態にすると前記灰収容凹部が開放されることを特徴とする請求項１又は請求項２に記載の遊技機。
【請求項４】
前記灰皿は、前記灰収容凹部の横断面積が、前記開口部から前記灰収容凹部の底部に向かって次第に小さくなるように形成されていることを特徴とする請求項１から請求項３の何れか１つに記載の遊技機。
【請求項５】
前記受皿は、前記灰皿と隣接する部分に、遊技媒体の半径以上の高さを有する起立壁部を有することを特徴とする請求項１から請求項４の何れか１つに記載の遊技機。
【発明の詳細な説明】
【技術分野】
【０００１】
本発明は遊技機に関し、特に、下部受皿の賞球の収容量を増加させることができる遊技機に関するものである。
【背景技術】
【０００２】
一般的なパチンコ遊技機は、遊技球を打球発射装置に案内する上皿と、賞球等によって上皿に収納しきれない遊技球を貯留する遊技球収容用凹部を備える下皿とを備えている。
【０００３】
必要に応じて遊技球収容用凹部の遊技球収容量を拡大することができるパチンコ遊技機として、上面全体にわたって遊技球収容用凹部が設けられている下部受皿と、その遊技球収容用凹部内に取外し可能に設けられている灰皿と、を備えた遊技機が知られている。この遊技機では、遊技球収容用凹部の底部に可倒片を備えており、遊技球収容用凹部内に灰皿を設置した状態においては、その可倒片と灰皿の右側面とで遊技球収容用凹部を区画し、その区画内において遊技球を収容する構成となっており、灰皿の着脱によって遊技球収容用凹部の遊技球収容量を変化されられるものである（例えば特許文献１参照）。
【０００４】
また、球貯蔵室の大容積化を図るために、灰皿が必要な場合は仕切板を縦溝に嵌め込むことにより、下皿球貯蔵室内部に灰皿を形成し、灰皿が不要な場合は仕切板を取外すことにより下皿球貯蔵室内部より灰皿がなくなって下皿球貯蔵室の容積が大きくなるように構成した遊技機も知られている（例えば特許文献２参照）。
【特許文献１】特開平１１−０５７１６６号公報
【特許文献２】特開２００１−０３８０１９号公報
【発明の開示】
【発明が解決しようとする課題】
【０００５】
前記特許文献１に記載の発明において、実施例１では、灰皿３９が下部受皿３１に着脱できるような構成である。しかし、このような構成では、遊技者に灰皿３９を持ちさられてしまう恐れがある。また、実施例２では、灰皿３９が下部受皿３１の手前側に回動できるような構成である。しかし、このような構成では、灰皿３９が下部受皿３１の手前側に突出してしまうので、遊技者の手に当たる恐れがあり、遊技の邪魔となってしまう。
【０００６】
また、前記特許文献２に記載の発明において、第１実施形態と第２実施形態との構成では、やはり遊技者に仕切板４１や灰皿６０を持ち去られてしまう恐れがある。また、第３実施形態の構成では、灰皿８０が下皿装置７０の手前に大きく突出するので、遊技者の手に当たる恐れがあり、遊技の邪魔となってしまう。また、第４実施形態と第５実施形態との構成では、灰皿１００（１２０）を必要としない場合に、灰皿１００（１２０）を収納しておく空間が必要となるので、遊技機内部の配置構成が困難となる。また、第６実施形態の構成では、仕切り板１４１が灰で汚れるため、仕切り板１４１の動作が困難になる恐れがある。
【０００７】
そこで本発明は、遊技媒体収容凹部（遊技球収容用凹部）の収容量を増加させる際に、灰皿の位置をほとんど移動させなくてもよい構成を実現することによって、灰皿の収納スペースが不要になる遊技機を提供することを目的とする。
【課題を解決するための手段】
【０００８】
第１の発明は、遊技媒体を貯留可能な遊技媒体収容凹部を有する受皿と、略垂直に設けられ、受皿が取り付けられる平板状のベース部材と、ベース部材の受皿に隣接する位置に設けられ、灰を収容可能な灰収容凹部を有する灰皿と、有する遊技機において、灰皿は、灰収容凹部の入り口となる開口部が形成されており、ベース部材に略垂直な軸を中心として回動可能に固定されており、灰皿が略垂直な軸を中心として回動されることによって受皿に隣接する位置に変位した開口部が遊技媒体収容凹部と連通することを特徴とする。
【０００９】
第２の発明は、第１の発明において、受皿は、灰皿と隣接する部分以外の部分に、遊技媒体収容凹部の外周を形成する受皿壁部を有し、灰皿は、灰収容凹部の外周を形成する灰皿壁部が形成されており、開口部が上面側に位置する状態のときに、灰皿壁部の少なくとも一部が受皿に隣接して、灰皿壁部及び受皿壁部が遊技媒体収容凹部を囲繞することを特徴とする。
【００１０】
第３の発明は、第１又は第２の発明において、灰皿は、灰収容凹部の底面に開閉部材を有し、開口部の位置が上面側に位置する状態、及び、開口部の位置が受皿に隣接する状態の何れの状態であっても、開閉部材を開状態にすると灰収容凹部が開放されることを特徴とする。
【００１１】
第４の発明は、第１から第３の発明において、灰皿は、灰収容凹部の横断面積が、開口部から灰収容凹部の底部に向かって次第に小さくなるように形成されていることを特徴とする。
【００１２】
第５の発明は、第１から第４の発明において、受皿は、灰皿と隣接する部分に、遊技媒体の半径以上の高さを有する起立壁部を有することを特徴とする。
【発明の効果】
【００１３】
第１の発明によると、遊技媒体を貯留可能な遊技媒体収容凹部を有する受皿と、略垂直に設けられ、受皿が取り付けられる平板状のベース部材と、ベース部材の受皿に隣接する位置に設けられ、灰を収容可能な灰収容凹部を有する灰皿と、有する遊技機において、灰皿は、灰収容凹部の入り口となる開口部が形成されており、ベース部材に略垂直な軸を中心として回動可能に固定されており、灰皿が略垂直な軸を中心として回動されることによって受皿に隣接する位置に変位した開口部が遊技媒体収容凹部と連通するので、灰皿を灰を入れるために使用するか、灰皿を遊技媒体収納凹部に貯留された遊技媒体を貯留するために使用するか、を容易に設定することができる。また灰皿の使用用途によって灰皿の位置が大きく変化することがないので、遊技者にとって、灰皿が遊技の邪魔とならない。
【００１４】
第２の発明によると、第１の発明において、受皿は、灰皿と隣接する部分以外の部分に、遊技媒体収容凹部の外周を形成する受皿壁部を有し、灰皿は、灰収容凹部の外周を形成する灰皿壁部が形成されており、開口部が上面側に位置する状態のときに、灰皿壁部の少なくとも一部が受皿に隣接して、灰皿壁部及び受皿壁部が遊技媒体収容凹部を囲繞するので、灰皿の一部が遊技媒体収容凹部の一部を構成することで、部品構成が簡素化され、より経済的で生産性の高い遊技機を提供できる。
【００１５】
第３の発明によると、第１又は第２の発明において、灰皿は、灰収容凹部の底面に開閉部材を有し、開口部の位置が上面側に位置する状態、及び、開口部の位置が受皿に隣接する状態の何れの状態であっても、開閉部材を開状態にすると灰収容凹部が開放されるので、灰皿を灰を入れるために使用するときは、灰皿の底部から灰の掃除ができる。また、灰皿を遊技媒体収納凹部に貯留された遊技媒体を貯留するために使用するときは、灰皿の底部から灰収容凹部に滞留した遊技媒体を除去することができる。
【００１６】
第４の発明によると、第１から第３の発明において、灰皿は、灰収容凹部の横断面積が、開口部から灰収容凹部の底部に向かって次第に小さくなるように形成されているので、灰皿を灰を入れるために使用するときは、灰収容凹部の灰を取出しやすく掃除し易い形状となる。また、灰皿を遊技球収納凹部に貯留された遊技媒体を貯留するために使用するときは、灰収容凹部の形状が受皿の遊技媒体収容凹部に遊技媒体を誘導しやすい形状であるため、遊技媒体が灰収容凹部内部に滞留しにくい。
【００１７】
第５の発明によると、第１から第４の発明において、受皿は、灰皿と隣接する部分に、遊技媒体の半径以上の高さを有する起立壁部を有するので、灰皿の回動操作を行う際に、遊技媒体収容凹部から遊技媒体が落下することを防止できる。
【発明を実施するための最良の形態】
【００１８】
以下に、本発明の実施の形態を図面に基づいて説明する。
【００１９】
図１は、本発明の実施の形態の遊技機（パチンコ機）１の斜視図である。なお、本実施の形態の説明において、遊技機１の遊技者が遊技する側（図の左下側）を前として前後方向を示す。
【００２０】
遊技機１の外枠２には、前面枠３の一側がヒンジ４を介して開閉回動可能に取り付けられる。
【００２１】
前面枠３には、ガラス枠９がヒンジ１０を介して開閉回動可能に取り付けられている。ガラス枠９の前面は、略円形状の開口部１１が形成されている。ガラス枠９には、裏面側からカバーガラス１２が組み込まれている。
【００２２】
前面枠３の要所には、ランプやＬＥＤ等からなる装飾発光装置１５が設けられる。また、前面枠３の左右の上部には、音出力装置（スピーカ）２６が設けられている。装飾発光装置１５は、大当り遊技状態等のイベント発生時や異常発生時に、遊技機１の遊技状態に対応して発光する。音出力装置２６は、遊技機１の遊技状態に対応して音声を出力する。
【００２３】
前面枠３の下部には、遊技球を打球発射装置（図示省略）に案内する上皿１６が配設される。また、前面枠３の下方の固定パネル１７には、下皿１８及び打球発射装置の発射操作部１９が配設される。
【００２４】
一般入賞口（図示省略）、始動入賞口（図示省略）及び特別変動入賞装置（図示省略）に遊技球が入賞すると、入賞した入賞口の種類に応じた数の賞球が、遊技機１内部に設けられた払出ユニット（図示省略）から上皿１６又は下皿１８に排出される。
【００２５】
上皿１６の上縁には、カードユニットに挿入されたプリペイドカードの残高を表示するカード残高表示部２１、遊技球の貸し出しを指令する球貸スイッチ２２、及び、プリペイドカードの返却を指令するカード返却スイッチ２３が設けられる。
【００２６】
また、上皿１６の側縁には、上皿１６に貯留された遊技球を下皿１８へ排出するための上皿返却レバー２４が設けられている。
【００２７】
下皿１８の下方には、下皿１８に貯留された遊技球を下方へ排出するための下皿返却レバー２５が設けられている。
【００２８】
下皿１８の左側には灰皿２７が設けられている。灰皿２７は、灰皿として使用しないときに、その状態を変化させて、下皿１８の一部として使用することもできる。
【００２９】
図２は、固定パネル１７の斜視図である。
【００３０】
固定パネル１７には、前述のように、下皿１８、発射操作部１９及び灰皿２７が設けられている。
【００３１】
固定パネル１７の前面は、略平板状のベース部材１７１が設けられている。このベース部材１７１は地面に対して略垂直に設けられているので、ガラス枠９のカバーガラス１２に対して略並行（カバーガラス１２の裏面側に設けられて遊技領域が形成された遊技盤（図示略）に対しても略並行）となる状態で設けられている。このベース部材１７１に対して、下皿１８及び発射操作部１９が固定され、さらに灰皿２７が回転可能に固定されている。また、ベース部材１７１の下皿１８に対応する箇所には、上皿１６から溢れた遊技球を下皿１８に流入させる遊技球流入孔部１７２が開口されている。
【００３２】
灰皿２７は、後述するように、ベース部材１７１に対する取付状態が、図２の状態から図３の状態を経て、最終的に図５の状態に変化させられるものである。灰皿２７は、灰を収納するための灰収容凹部２７１が灰皿壁部２７２によって四方から囲繞されて構成される。また、灰収容凹部２７１の底部には、底蓋２７３（図５参照）が設けられている。底蓋２７３は、灰収容凹部２７１の底面よりも若干大きな形状である。底蓋２７３は、前方に可動可能に構成されている。底蓋２７３を人為的に前方に可動させることによって、灰収容凹部２７１の底部が開口し、灰収容凹部２７１に収容されていた灰や吸い殻等を下方に落下させることができる。これによって、灰皿２７が清掃される。
【００３３】
なお、灰皿２７の灰収容凹部２７１は、灰皿の清掃を容易にするために、開口部から底面に向かって、その断面積が次第に小さくなるよう（開口部から底面に向かって縮径するように）に形成されている。
【００３４】
なお、灰皿２７は、タバコ及びタバコの灰を受け止めるという性質から、耐熱性の樹脂素材（例えば、メラミンフェノール）を用いて形成される。
【００３５】
下皿１８は、遊技機を貯留するための受皿である。下皿１８は、ベース部材１７１に対して略垂直な面を有する底部１８１、及び、遊技機１の前面に対して並行であり、かつ、ベース部材１７１に対して所定の距離を有する面と、遊技機１の前面に対して略垂直であり、かつ、ベース部材１７１に対して略垂直な面と、を有する側壁部１８２によって構成される。なお、下皿１８には、下皿球抜きレバー２５の操作によって球を下方に排出するための図示しない排出口が、底部１８１の右側に設けられている。遊技球が排出口にスムースに排出されるために、下皿１８の底部１８１は、若干右側に傾斜して構成されている。また、下皿１８の左方は、灰皿壁部２７２のうち、下皿１８に対する面に接している。
【００３６】
従って、下皿１８は、ベース部材１７１、側壁部１８２及び灰皿壁部２７２によって、底部１７１を囲繞する形状に構成されている。これらベース部材１７１、壁部１８２、灰皿壁部２７２及び底部１８１によって構成された空間が、遊技球を収納するための遊技球収納凹部１８３を構成する。なお、遊技球収納凹部１８３には、遊技メダルなどの遊技球以外の遊技媒体を貯留することもできるので、遊技球収納凹部１８３は、遊技媒体を貯留可能な遊技媒体収容凹部としても機能している。
【００３７】
なお、側壁部１８２、灰皿壁部２７２及び底部１８１は、その面が曲面であってもよい。また、各部の接合部は直角でなくてもよい。遊技球収納凹部１７３が、なめらかな曲面によって構成されていてもよい。
【００３８】
図３は、固定パネル１７の斜視図であり、灰皿２７の取付状態を変化させるときの状態を示す斜視図である。また、図４は、灰皿２７を前方、上方、及び側方から見た三面図である。
【００３９】
灰皿２７は、灰皿２７の背面、すなわち、灰皿壁部２７２のベース部材１７１に対向する取付面に、二つの突起部ないし軸部（第１突起部３０１、第２突起部３０２）が設けられている。
【００４０】
第１突起部３０１は、灰皿２７の背面の略中央に設けられている。第２突起部３０２は、灰皿２７の上部左側に設けられている。第１突起部３０１は、その先端部がネジ加工されている。そして、ワッシャ及びナット等によって、灰皿用鍵溝部４０１を貫通してベース部材１７１に締結可能となっている。さらに、第１突起部３０１の先端部はＣ型クリップによって固定されている。このＣクリップによって、ワッシャ及びナットが取外せない。
【００４１】
一方、ベース部材１７１は、灰皿２７に対向する部分が灰皿２７の形状に従って若干後方に退行した凹面となっている。また、ベース部材１７１は、第１突起部３０１が貫通する灰皿用鍵溝部４０１と、第２突起部３０２が貫通する二つの挿入孔（上部挿入孔４０２、下部挿入孔４０３）が設けられている。
【００４２】
灰皿用鍵溝部４０１は、Ｌ字形状の開口部を有する。第１突起部３０１は、この灰皿用鍵溝部４０１を貫通して、前述のワッシャ及びナットを取り付け、さらにＣクリップを固定することによって、ベース部材１７１から取外せないようにする。
【００４３】
また、上部挿入孔４０２及び下部挿入孔４０３は、その何れか一方に第２突起部３０２が嵌合される。第１突起部３０１は、ワッシャ及びナット等を用いてベース部材１７１の背面側から締結することができる。第１突起部３０１をベース部材１７１の背面側から締結することによって、第１突起部３０１がベース部材１７１に固定される。この結果、灰皿２７が、固定パネル１７に固定される。この状態で、灰皿２７が、灰を入れる灰皿として使用可能となる。
【００４４】
灰皿２７を灰皿として使用しない場合は、前面枠３を外枠２から開放して、ベース部材１７１の裏面側から、図３のように灰皿２７の取付状態を変化させる。まず、第１突起部３０１を締結していたナットを緩める。そして、灰皿２７を遊技機１の前面側に若干移動させる。灰皿２７を遊技機１の前面側に移動させることによって、第２突起部３０２と上部挿入孔４０２との勘合が解かれる。この状態で、第１突起部３０１を灰皿用鍵溝部４０１に沿って上側及び左側に移動させる。そして、第１突起部３０１が灰皿用鍵溝部４０１の左端に移動した状態のときに、第１突起部３０１を中心として、灰皿２７を反時計回りに略９０°回転させる。この状態で、第１突起部３０１を、灰皿用鍵溝部４０１に沿って右側及び下側に移動させる。この移動によって第２突起部３０２が下側挿入孔４０３に正対した位置となったときに、灰皿２７を遊技機１の奥手側に移動させて第２突起部３０２を下側挿入孔４０３に嵌合させる。その後、さらに奥手側まで移動させ、灰皿２７がベース部材１７１に完全に接した状態となったときに、第１突起部３０１のナットを、ベース部材１７１の背面側から締結する。これによって、第１突起部３０１がベース部材１７１に固定される。この結果、灰皿２７が、遊技者の邪魔にならない状態で確実に固定パネル１７に固定される。灰皿２７をベース部材１７１に固定したら、前面枠３を外枠２に閉止する。
【００４５】
このように、人為的に灰皿２７の第１突起部３０１を中心として灰皿２７を回動させることによって、下皿１８に隣接する位置に変位した灰収容凹部２７１の開口部が、遊技球収容凹部１８３と連通する。この結果、灰皿２７を灰皿として使用しない場合は、灰皿２７の灰収容凹部２７１が下皿１８の遊技球収容凹部１８３と連通する（図５参照）。
【００４６】
図５を参照することによって明らかなように、灰皿２７を灰皿として使用しないときは、灰収容凹部２７１が遊技球収容凹部１８３と連通することによって、遊技球収容凹部１８３の容積が拡大される。従って、遊技球収容凹部１８３に収容可能な遊技球の数を多くすることができる。なお、再び灰皿２７を、灰を収容する灰皿として使用する場合は、逆の操作を実施し、灰収容凹部２７１の開口部を上面に向けた状態で、第１突起部３０１を締結すればよい。
【００４７】
図６は、固定パネル１７の斜視図であり、灰皿２７を灰皿として使用しない状態において、固定パネル１７を右上側から観察したときの斜視図である。
【００４８】
灰皿２７は、底面に底蓋２７３が設けられている。底蓋２７３は、略平板状の底板部２７３１と、底蓋２７３を人為的に可動させるための底蓋解放レバー２７３２とが設けられている。
【００４９】
灰皿２７の下部は、底蓋２７３よりも若干小さい開口部が設けられている。また、この開口部には、底蓋２７３を収容可能なレールが形成されている。底蓋２７３はこのレールに従って奥行き方向に前後に可動できる。また、底蓋２７３には図示しないストッパが設けられている。このストッパによって、底蓋２７３が灰皿２７から取外せないように構成されている。ストッパは、底蓋２７３の奥手端を鍵状に突起させて、レールから取外せないような形状とする。なお、ストッパの形状はこの形状にとらわれず、底蓋２７３を可動でき、かつ、レールから取外せないような形状であればよい。
【００５０】
灰皿２７を灰皿として使用するときは、底蓋２７３を人為的に前方に移動させることによって、灰収容凹部２７１の底部を開口させ、灰収容凹部２７１に収容されていた灰や吸い殻等を下方に落下させる。これによって、灰皿２７を清掃することができる。
【００５１】
一方、灰皿２７を灰皿として使用しない、すなわち、灰収容凹部２７１を遊技球収容凹部１８３の一部として使用するときは、底蓋２７３を人為的に前方に移動させることによって、灰収容凹部２７１の底部を開口させると、遊技球収容凹部１８３の一部として機能する灰収容凹部２７１の内部を、灰皿２７の底面側から透視することができる。これによって、灰収容凹部２７１の内部に滞留した遊技球を除去することが可能となる。
【００５２】
灰皿２７は耐熱性の樹脂によって形成されるが、メラミンフェノールに代表される耐熱性の樹脂素材は、透明性を有しない。従って、灰収容凹部２７１を遊技球収容凹部１８３の一部として使用したときに、この灰収容凹部２７１の内部に遊技球が滞留した場合は、外部からその様子を観察することが困難となる。そこで、本来灰皿２７の清掃のために使用される底蓋２７３を可動させて灰収容凹部２７１の底部を開口させることによって、滞留した遊技球を除去することが可能となる。
【００５３】
図７は、下皿１８と灰皿２７との関係を示す側面断面図である。
【００５４】
図７（ａ）は、灰皿２７を灰皿として使用する場合を示す。
【００５５】
灰皿２７を灰皿として使用するときは、灰皿２７の灰収容凹部２７１の開口部を上方に向けた状態にして、第１突起部３０１を固定する。このとき、灰皿２７の灰皿壁部２７２が、下皿１８の壁部として機能する。
【００５６】
図７（ｂ）は、灰皿２７を灰皿として使用しない場合を示す。
【００５７】
灰皿２７を灰皿として使用しないときは、灰皿２７の灰収納凹部２７１の開口部を左方、すなわち、遊技球収容凹部１８３側に向けた状態にして、第１突起部３０１を固定する。なお、灰収容凹部２７１は、開口部から底面に向かって、その断面積が次第に小さくなるように形成されているので、灰収容凹部２７１を左側９０°に回転させた結果、灰収容凹部２７１の内壁面のうち、下側に位置する面が、灰収容凹部２７１側に向かって若干傾斜した状態となる。遊技球は重力によって付勢されて、この灰収容凹部２７１の下側の内壁面を遊技球収納凹部１８３側に移動する。なお、灰収容凹部２７１の側壁のうち、灰収納凹部２７１の開口部を遊技球収容凹部１８３側に向けた状態で下側になる面のみが、若干傾斜した状態となればよい。従って、その他の側壁は、灰収容凹部２７１を上部に向けたときに、垂直な面であってもよい。
【００５８】
なお、灰皿２７は、灰収納凹部２７１の開口部を遊技球収容凹部１８３側に向けた状態のときに、灰収容凹部２７１の開口部端は、遊技球収納凹部１８３の底部１８１よりも若干上側に位置するように構成されている。灰皿２７を可動することによって灰収容凹部２７１と遊技球収容凹部１８３とを連通させるという性質から、灰収容凹部２７１と遊技球収容凹部１８３との間には若干の隙間や段差が生じてしまう。この隙間や段差によって、遊技球の滞留が発生する。これを防ぐために、灰収容凹部２７１を、遊技球収容凹部１８３よりも一段高く設定する。より具体的には、下皿１８の底部１８１の左端部と灰収納凹部２７１の開口部の右端部との間隔（段差）を、遊技球の半径以上、直径未満とする。この段差によって、遊技球収容凹部２７１に貯留された遊技球のうち、少なくとも一列目の遊技球は、灰皿２７が外れているときにも左方に転動して落下することはない。また、段差を遊技球の直径未満とすることで、二列目の遊技球は、一列目の遊技球の上段から灰収容凹部２７１に貯留される。
【００５９】
このように、遊技球収容凹部１８３と灰収納凹部２７１との段差を設定することによって、遊技球収容凹部１８３には一段分の遊技球のみが貯留される。さらに遊技球が遊技球収容凹部１８３に流入してきたときには、一段目の上に積み重なった状態で貯留される。灰収容凹部２７１には、この二段目の遊技球の一部が流入する。遊技球収容凹部１８３に貯留された遊技球が減少した場合は、灰収容凹部２７１に貯留された遊技球は灰収容凹部２７１の壁部の傾斜に従って右側に移動し、灰収容凹部２７１と遊技球収容凹部１８３と灰収納凹部２７１と段差を落下して、さらに右方へと移動する。
【００６０】
このように、遊技球収容凹部１８３と灰収納凹部２７１とに段差を設定することによって、遊技球がよりスムースに排出される。
【００６１】
図７（ｃ）は、灰皿２７を灰皿として使用しない場合であり、下皿１８の別の例を示す。
【００６２】
この別の例では、下皿１８の底部１８１の図中左端部に起立壁１８４が設けられている。
【００６３】
起立壁１８４は、下皿１８の底部１８１に対して遊技球の半径以上、直径未満の高さを有する。また、起立壁１８４の上面は、灰収容凹部２７１の開口部端よりも若干底部１８１に接近しているとともに、遊技球収容凹部１８３の右側に向かって若干の傾斜を有している。
【００６４】
このように、起立壁１８４を下皿の底部１８１の右端部に設けて、遊技球収容凹部１８３と灰収納凹部２７１とに段差を設定することによって、前述のように遊技球がよりスムースに排出される。
【００６５】
さらに、起立壁１８４によって形成される段差が灰皿２７の状態にかかわらず存在するため、何らかの原因によって、灰皿２７が固定パネル１７から外れている場合や、灰皿２の灰収納凹部２７１が遊技球収容凹部１８３側に向いていない状態となっている場合にも、遊技球収容凹部１８３に貯留されている遊技球が、この段差に規制され、下皿１８から落下することを防ぐことができる。また、段差を遊技球の直径未満とすることで、二列目の遊技球は、一列目の遊技球の上段から灰収容凹部２７１に貯留される。
【００６６】
今回開示した実施の形態は、全ての点で例示であって制限的なものではないと考えられるべきである。本発明の範囲は上記した説明ではなくて特許請求の範囲によって示され、特許請求の範囲と均等の意味及び内容の範囲での全ての変更が含まれることが意図される。
【図面の簡単な説明】
【００６７】
【図１】本発明の実施の形態の遊技機の構成を示す正面図である。
【図２】本発明の実施の形態の遊技機の固定パネルの斜視図である。
【図３】本発明の実施の形態の遊技機の固定パネルの斜視図である。
【図４】本発明の実施の形態の灰皿の三面図である。
【図５】本発明の実施の形態の遊技機の固定パネルの斜視図である。
【図６】本発明の実施の形態の遊技機の固定パネルの斜視図である。
【図７】下皿と灰皿との関係を示す側面断面図である。
【符号の説明】
【００６８】
１      遊技機
１８    下皿
１９    発射操作部
２７    灰皿
１７１  ベース部材
１８１  底部
１８２  壁部
１８３  灰収容凹部
１８４  起立壁
２０１  第１突起部
２７１  灰収納凹部
３０１  第１突起部
３０２  第２突起部
４０１  灰皿用鍵溝部
４０２  上部挿入孔
４０３  下部挿入孔
【図１】
2007319333.tif 000003
【図２】
2007319333.tif 000004
【図３】
2007319333.tif 000005
【図４】
2007319333.tif 000006
【図５】
2007319333.tif 000007
【図６】
2007319333.tif 000008
【図７】
2007319333.tif 000009